(57)【要約】  情報管理方法は、自然言語のワード（３１Ｗ，４１Ｗ）を使用して少なくとも１つの項目及び調査者（２４）の情報を格納する保管人（２２）の間を接続することに関する。ワードの暗示する意味を明確に説明するため、ワード（３１Ｗ，４１Ｗ）は項目と関連する保管人（２２）に基づいて予め分析される少なくとも１つの主題を表わし、キーワードかされるワード（３１，４１）を形成する少なくとも１つの所定のキーコード（３１，４１）を付与されている。保管人（２２）及び調査者（２４）は、単一のワードの問合せだけでなく完全なテキストの問合せのためにお互いに通じる同意を得るため、ワード（３１Ｗ，４１Ｗ）と共にキーワード（３１Ｋ，４１Ｋ）を使用する。
2009516880.tif 000002
【特許請求の範囲】
【請求項１】
少なくとも１つの項目に関する情報をデータ格納手段に格納するステップを含み、前記データ格納手段は１つ以上のテキストワードを格納し、前記テキストワードは前記項目に関連する少なくとも１人の保管人を供給され、前記テキストワードは前記項目に関心のある少なくとも１人の調査者により調査され、
検索手段を使用して前記保管人を検索するステップを備え、前記検索手段は少なくとも１つのキーワードを含み、前記キーワードは前記検索状態を設定するため前記調査者により準備され、前記テキストワード及びキーワードはそれぞれ前記項目及び前記関連する保管人の複数の主題のうちの少なくとも１つを定義するワードであり、前記主題は前記項目に基づき分析され、前記テキストワード及びキーワードはそれぞれ少なくとも１つのキーコードを付与され、キーコード化されたテキストワード及びキーコード化されたキーワードをそれぞれ形成し、前記キーコードは前記主題の少なくとも１つを表わし、前記検索手段は前記キーコード化されたテキストワードが前記キーコード化されたキーワードと一致する前記保管人を検索することを特徴とする情報管理方法。
【請求項２】
前記保管人及び調査者はそれぞれ、個人の１人、個人の１集団、組織、ウェブサイトで公開されるもの、エンティティとして認識可能な他の者を表わしている請求項１に記載の方法。
【請求項３】
前記保管人及び調査者はそれぞれ供給者及び受信者の１人としての権利をさらに与えられ、前記供給者は前記項目を前記受信者に割り当て、伝授し、販売し、実行し、又は他の方法で供給する能力を有し、前記受信者は前記項目を前記供給者から進んで、割り当てられ、伝授され、購入、借り、又は他の方法で受け取る請求項１に記載の方法。
【請求項４】
前記データ格納手段は、電子テキスト列、テキストファイル、スプレッドシートファイル、データベースファイル、イメージファイル、ムービーファイル、ウェブサイトファイル、及び１つ以上の電子テキストワードを含む他のものの１以上の形式であり、前記検索手段は前記電子テキストサーチを介する調査及び検索を含む請求項１に記載の方法。
【請求項５】
前記データ格納手段は、物理的な文書、ロゴ、サイン、広告材料、及び１以上の物理的なテキストワードを含む他のものであり、前記検索手段は前記調査者の物理的な目及び認識を介する調査及び検索を含んでいる請求項１に記載の方法。
【請求項６】
前記項目は、材料、製品、金銭、ビジネス、不動産、仕事、知識、技術、ノウハウ、概念、ライセンス、及び前記項目がお互いに相互に関係付けられる他のものに分類される請求項１に記載の方法。
【請求項７】
前記主題は、項目のタイトル、項目の機能、項目の機能の対象、項目のカテゴリ、項目の場所、保管人の項目、保管人の機能、保管人の機能の対象、参照文献、証明書、経験、優越、及び前記項目に関連するコミュニティにより一般に認識される特定の規則及び特性に関して前記適当な主題として考えられる他のものに分析される請求項１に記載の方法。
【請求項８】
前記テキストワード及びキーワードはそれぞれ、前記保管人のタイトル及び保管人の機能の前記主題の少なくとも１つで定義し、前記保管人のタイトル及び保管人の機能の前記主題を表わす少なくとも１つの特定のキーワードを付与されている請求項７に記載の方法。
【請求項９】
前記テキストワード及びキーワードはそれぞれ、前記保管人のタイトル及び保管人の機能の前記主題の少なくとも１つへの補足で定義し、前記保管人のタイトル及び保管人の機能の前記主題を表わす少なくとも１つのキーワードと、「への補足」の意味を表わす少なくとも１つの他の特定のキーコードとを付与されている請求項８に記載の方法。
【請求項１０】
前記テキストワード及びキーワードはそれぞれ、前記参照文献、証明書、経験、及び優越の前記主題の少なくとも１つで定義し、前記保管人のタイトル及び保管人の機能の前記主題に補足し、前記保管人のタイトル及び保管人の機能の前記主題を表わす少なくとも１つのキーコードと、前記参照文献、証明書、経験、及び優越を表わす少なくとも１つの他の特定のキーコードとを付与されている請求項９に記載の方法。
【請求項１１】
前記テキストワード及びキーワードはそれぞれ、前記項目のタイトル、項目の機能、前記保管人の機能の対象、前記項目のカテゴリのリーフレベルのうちの少なくとも１つで定義し、前記項目のタイトル、項目の機能、前記保管人の機能の対象、及び前記項目のカテゴリのリーフレベルの主題を表わす少なくとも１つの特定のキーコードを付与されている請求項７に記載の方法。
【請求項１２】
前記テキストワード及びキーワードはそれぞれ、前記項目のタイトル、項目の機能、前記保管人の機能の対象、前記項目のカテゴリのリーフレベルの前記主題の少なくとも１つへの補足で定義し、前記項目のタイトル、項目の機能、前記保管人の機能の対象、前記項目のカテゴリのリーフレベルの前記主題を表わす少なくとも１つのキーコードと、「への補足」の意味を表わす少なくとも１つの他の特定のキーコードとを付与されている請求項１１に記載の方法。
【請求項１３】
前記テキストワード及びキーワードはそれぞれ、前記参照文献、証明書、経験、及び優越の前記主題の少なくとも１つで定義し、前記項目のタイトル、項目の機能、前記保管人の機能の対象、前記項目のカテゴリのリーフレベルの前記主題に補足し、前記項目のタイトル、項目の機能、前記保管人の機能の対象、及び前記項目のカテゴリのリーフレベルの前記主題を表わす少なくとも１つのキーコードと、前記参照文献、証明書、経験、及び優越を表わす少なくとも１つの他の特定のキーコードとを付与されている請求項１２に記載の方法。
【請求項１４】
前記テキストワード及びキーワードはそれぞれ、前記項目の機能の前記対象の前記主題で定義し、前記項目の機能の前記対象の前記主題を表わす少なくとも１つの特定のキーコードを付与されている請求項７に記載の方法。
【請求項１５】
前記テキストワード及びキーワードはそれぞれ、前記項目の機能の前記対象の前記主題への補足で定義し、前記項目の機能の前記対象の前記主題を表わす少なくとも１つのキーコードと、「への補足」の意味を表わす少なくとも１つの他の特定のキーコードを付与されている請求項１４に記載の方法。
【請求項１６】
前記テキストワード及びキーワードはそれぞれ、少なくとも１つの地理的領域を表わす前記項目場所の前記主題で定義し、前記項目及び前記関連する保管人は支持可能であり、前記項目の場所の前記主題を表わす少なくとも１つの特定のキーコードを付与されている請求項７に記載の方法。
【請求項１７】
前記テキストワード及びキーワードはそれぞれ、前記項目のカテゴリのリーフレベル以外の前記項羽も九のカテゴリのスーパーレベルの前記主題で定義し、前記項目のカテゴリのスーパーレベルの前記主題を表わす少なくとも１つの特定のキーコードを付与されている請求項７に記載の方法。
【発明の詳細な説明】
【技術分野】
【０００１】
本発明は、データ格納装置にその少なくとも１つの項目の情報を格納する保管人と関心のある項目を調査する調査者との間を接続する情報管理に関する。
【背景技術】
【０００２】
関心のある項目を調査するための調査者と保管人として寿命の実質的な部分を奪われる。また、保管人は項目に関心のある調査者により接触されるようにかなりの時間及び金銭を消費する。
【０００３】
それは、関連項目の情報を格納するためにテキストワードを使用する保管人、及びテキストワードが調査者のキーワードと一致する保管人を検索するためにキーワードを使用する調査者にとって、自然言語のワードを使用するコンピュータ化された調査環境では比較的普通である。
【０００４】
テキストワード及びキーワードはそれぞれ文字値であり、その意味は、項目のタイトル、項目の機能、項目のカテゴリ、項目の場所、保管人のタイトル、及び他のもの等、項目及び関連の保管人の主題の少なくとも１つを暗示する。ワードで暗示される特定の主題をワードが明確に説明できる場合、検索処理は非常に容易で早く且つ正確に行うことができる。
【発明の開示】
【発明が解決しようとする課題】
【０００５】
検索システムの伝統的な方法及び関連する技術は、システムに格納されるすべてのデータ又は概略を調査することを含んでおり、その概略は物語風又は予め形成された形式である。データへのそれらのアプローチの多くでは、システムはシステムに格納されたデータを引き出し、変換し、指し示し、発生し、会席し、標準化し、又はパラメータ化することに従事する。そのシステムの役割は項目の象徴的な意味が非常に多く多様な項目表現規則を適合することである。そのため、非常に複雑で長いディレクトリーリストが調査者を援助するために与えられない場合、テキストワードとキーワードの間の暗示される意味のための同意を有するのは難しく、完全なテキストの問合せで特に即時に予期しない検索となる。
【０００６】
２００４年２月３日に発行された米国特許第６６８７７１１及びナンズ(Nunez)への２００５年１１月１０日の米国公報２００５０２５１５３４に記載された従来の試みは、システム又はシステムの創作者により創作されるパラメータの名称でデータ値を組み合わせることによりファイルのデータ値をパラメータ化することを保証する方法を示している。ナンズの方法はデータ変換とデータサイズの負担を有している。また、システムに格納されるパラメータの名称は調査者にとってその実際の使用のため特定のキーワードのための特定のパラメータの名称を推定するのは明確にされていない。
【課題を解決するための手段】
【０００７】
本発明は、項目及び関連する保管人に基づき主題を予め分析することにより、及び予め分析された主題の少なくとも１つをそれぞれ表わす複数のキーワードを予め定義することにより立案されている。テキストワード及びキーワードはそれぞれ、単一のキーワードの問合せだけでなく完全なテキストの問合せのため、保管人と調査者の間の同意を得るため、ワードで暗示される主題を明確に説明する適当なキーコードを付与されている。
【発明の効果】
【０００８】
本発明の目的は、論理的及び明確に意図した方法でより正確に検索した結果を作成することである。
【０００９】
別の目的は、データサイズをより小さくし、データ格納処理をより容易に処理させ、検索処理をより早くし、モニター画面上に小スペースで検索結果を表示することである。
【００１０】
別の目的は、保管人及び調査者を援助することが必要なディレクトリーリストを削除することである。
【００１１】
別の目的は、お互いに保管人及び調査者と同一の方法で、予め分析された主題に関して可能なテキストワード及びキーワードへのガイドを提供することである。
【００１２】
上記した利点の効果は、携帯電話、ワイヤレスＰＤＡ（携帯情報端末）、及びワイヤレスポケットＰＣ（パーソナルコンピュータ）等の小型のモニターを有する携帯用コンピュータを使用する保管人及び調査者にとって、増大される。
【発明を実施するための最良の形態】
【００１３】
図１は本発明の例示的な一実施の形態を示しており、本発明は、複数のクライアントコンピュータ１１と、サーバー１２と、前記クライアントコンピュータ及びサーバーへのインターネットネットワーク接続１９とを備えている。クライアントコンピュータ１１及びサーバー１２はそれぞれ、プロセッサー（例えば、ＣＰＵ）（図示省略）、通信装置（例えば、ネットワークカード、ルーター、モデムカード）（図示省略）、オペレーションプログラム（例えば、ウィンドウズ（登録商標）、マック、リナックス）１４、及びメモリー（例えば、ハードディスク、ＣＤ，テープ）（図示省略）等の典型的な構成要素を有している。クライアントコンピュータ１１はさらに入力装置（例えば、キーボード、マウス）（図示省略）及び出力装置（例えば、モニター、プリンター）（図示省略）を備えている。
【００１４】
サーバー１２はさらにアプリケーションプログラム１６及びデータ格納装置１８を備えている。各種フォーマット（例えば、ＴＸＴ，ＰＤＦ，ＭＤＢ，ＨＴＭＬ）及び各種構造（例えば、スプレッドシート、リレーショナルデータベースモデル、ネットワークデータベースモデル）にデータを含むデータ格納装置１８（例えば、データファイル、データベースファイル、入れ子データベースファイルを有するデータベースファイル）は、サーバー１２のメモリーにセーブされている。アプリケーションプログラム１６は、プログラム言語（例えば、ＨＴＭＬ，ＡＳＰ，コールドフュージョン，ＪＳＰ，ＳＱＬ）を使用して、データ格納装置１８に格納されたデータを操作、テキストサーチ、及び検索する機能を有している。アプリケーションプログラム１６はまた、クライアント２０のイベント（例えば、マウスクリック、キーボードタイピング）に従い、応えるため、クライアントコンピュータ１１に対して光学インターフェース（図２の３０、図３の４０）を提供する機能を有している。オペレーションプログラム１４はクライアントプログラム１１及びアプリケーションプログラム１６と通信する機能を有している。
【００１５】
クライアント２０はサーバー１２に接続されるクライアントコンピュータ１１を使用するものである。クライアント２０は個人の１人、個人の１集団、チーム、会社、法人、組織、ウェブサイトで公開されるもの、その特有の名称によりエンティティとして識別可能な他のものを表わしている。
【００１６】
クライアント２０はまた保管人２２又は調査者２４としての権利を与えられる。保管人２２は図２Ａの１以上のテキストワード３１Ｗを有するその少なくとも１つの項目の情報をデータ格納装置１８に格納することを許容される。調査者２４は、図３の１以上のキーワード４１Ｗを使用して検索状態を設定し、データ格納装置１８に格納されたデータを調査及び検索するように要求されるものである。
【００１７】
クライアント２０はまた供給者２２Ｓ，２４Ｓ又は受取人２２Ｒ，２４Ｒとしても権利を与えられる。供給者２２Ｓ，２４Ｓは少なくとも１つの項目を割り当て、伝授し、売却し、実行し、又は他の方法で供給する能力を有するものである。受取人２２Ｒ，２４Ｒは、進んで、項目を割り当てられ、伝授され、購入され、貸借され、又は他の方法で受け取るものである。供給者２２でもある供給者２２Ｓは図４の供給者のエンティティ５０Ｓとして関連の項目の情報をデータ格納装置に格納し、調査者２４でもある受取人２４Ｒにより調査されると共に検索されることを期待する。保管人２２でもある受取人２２Ｒは図５の受取人のエンティティ５０Ｒとして関連の項目の情報をデータ格納装置１８に格納し、調査者２４でもある供給者２４Ｓにより調査されると共に検索されることを期待する。
【００１８】
図２はサーバー１２によって保管人２２に与えられる光学インターフェース３０の一部分を示し、テキストフィールド３２及び提示ボタン３４を示している。テキストフィールド３２は保管人２２に図２Ａのテキストワード３１Ｗを入力させる。提示ボタン３４は保管人にマウスクリックさせ、サーバー１２に入力されたテキストワードを送り、サーバーがテキストワードをデータ格納装置１８に格納できるようになっている。
【００１９】
図３はサーバー１２によって調査者２４に与えられる別の光学インターフェース４０の一部分を示し、テキストフィールド４２及び調査ボタン４４を示している。テキストフィールド４２は調査者２４にキーワード４１Ｗを入力させ、調査ボタン４４は調査者にマウスクリックさせ、サーバー１２に入力されたキーワードを送り、サーバー１２がデータ格納装置１８でテキストワード３１Ｗを調査でき、テキストワード３１Ｗがキーワード４１Ｗと一致される項目を検索し、その後、調査者に検索結果を戻す。検索結果は関連の保管人の接触情報を含み、調査者２４が接触する１以上の保管人２２を選択可能なようになっている。
【００２０】
図４及び図５はそれぞれ供給者のエンティティ５０Ｓ及び受取人のエンティティ５０Ｒの例示のデータ構造を示し、両方のエンティティ５０Ｓ，５０Ｒは保管人のエンティティ５０としても権利を与えられる。供給者のエンティティ５０Ｓ及び受取人のエンティティ５０Ｒはそれぞれ、名称５２Ｓ，５２Ｒ、住所５３Ｓ，５３Ｒ、及び電話番号５４Ｓ，５４Ｒの属性を有し、それぞれ供給者２２Ｓ及び受取人２２Ｒの接触情報を含んでいる。供給者のエンティティ５０Ｓ及び受取人のエンティティ５０Ｒはそれぞれ供給者２２Ｓ及び受取人２２Ｒにより与えられるテキストワード３１Ｗを有する関連の項目の詳細データを含む項目の記述の属性をも有している。供給者のエンティティ５０Ｓ及び受取人のエンティティ５０Ｒはそれぞれ、供給者のＩＤ５１Ｓ及び受取人のＩＤ５１Ｒをも有し、供給者２２Ｓ及び受取人２２Ｒをそれぞれ独自に識別する。
【００２１】
近年、データベースの主要なタイプはリレーショナルデータベースモデルであるので、この実施の形態は例示目的のためのリレーショナルデータベース構造の一部分を示しており、供給者のエンティティ５０Ｓ及び受取人のエンティティ５０Ｒはそれぞれ供給者テーブル及び受取人テーブルの記録列として考えられ、エンティティ５０Ｓ，５０Ｒの属性（図４の５１Ｓ，５２Ｓ，５３Ｓ，５４Ｓ，５６Ｓ、図５の５１Ｒ，５２Ｒ，５３Ｒ，５４Ｒ，５６Ｒ）は対応するテーブルのフィールド列として考えられる。
【００２２】
項目は、材料、製品、金銭、ビジネス、不動産、仕事、知識、ノウハウ、概念、技術、ライセンス、及び項目がお互いと相互に関係付けられる他のもの等の複数の種類の１つの分類されることができる。１以上の種類が一緒に分類され、種類の各分類は他のグループから別々にシステムのメモリーに格納可能である。そのため、データの容量が増大すると、データ格納処理はより容易に管理できるようになり、データ調査及び検索処理をより早く行うことができる。
【００２３】
図２Ａのテキストワード３１Ｗ及び図４のキーワード４１Ｗはそれぞれ、ワード３１Ｗ，４１Ｗと呼ばれ、文字値であり、その意味は項目及び関連の保管人２２の少なくとも１つの主題をも暗示している。主題は、項目のタイトル、項目の機能、項目の機能の対象、項目のカテゴリ、保管人のタイトル、保管人の機能、保管人の機能の対象、項目の機能の対象、参照文献、証明書、経験、及び項目に関してコミュニティにより通常認識される特定の規則及び特性に関する適当な主題として考えられる他のもの等の項目に基づいて分析可能である。
【００２４】
ワード３１Ｗ，４１Ｗはお互いに保管人２２及び調査者２４と通信するツールとして考えられることができる。この発明は、予め分析される主題の少なくとも１つをそれぞれ表わす複数の所定のキーコード（図２Ａの３１Ｋ，図３の４１Ｋ）で実行される改善された通信ツールを与える。
【００２５】
ワード３１Ｗ，４１Ｗはワードで暗示される主題を明確に説明する少なくとも１つのキーコード３１Ｋ，４１Ｋを付与され、キーコード化されたワード３１，４１を形成する。保管人２２は、図２Ａのキーコード化されたテキストワード３１と呼ばれるキーコード３１Ｋを付与されるテキストワード３１Ｗを使用する。調査者２４は、図３のキーコード化されたキーワード４１と呼ばれるキーコード４１Ｋを付与されるキーワード４１Ｗを使用する。保管人２２及び調査者２４は同じキーコード３１Ｋ，４１Ｋを使用するので、キーコード化されたテキストワード３１及びキーコード化されたキーワード４１は、お互いと通信する同意を得るため、お互いに同じ方法でそれぞれ保管人及び調査者により認識されると共に利用されることができる。
【００２６】
特定のキーワード３１Ｋ，４１Ｋの定義は以下の１〜１０として記載される。
１．テキストワード３１Ｗ及びキーワード４１Ｗはそれぞれ、保管人のタイトル及び保管人の機能の主題の少なくとも１つで定義し、１組の特定のキーコード３１Ｋ，４１Ｋ、例えば、（：：）のような１組のコロンのキーコードにより接尾辞を付けられる。
２．テキストワード３１Ｗ及びキーワード４１Ｗはそれぞれ、保管人のタイトル及び保管人の機能の主題の少なくとも１つへの補足で定義し、２つの特定のキーコード３１Ｋ，４１Ｋ、例えば、（：−）又は（−：）のようなコロンのキーコード及びハイフンのキーコードにより接尾辞を付けられる。
３．テキストワード３１Ｗ及びキーワード４１Ｗはそれぞれ、参照文献、証明書、経験、及び優越の主題の少なくとも１つで定義し、保管人のタイトル及び保管人の機能の主題に補足し、２つの特定のキーコード３１Ｋ，４１Ｋ、例えば、（：＊）又は（＊：）のようなコロンのキーコード及びアステリスクのキーコードにより接尾辞を付けられる。
４．テキストワード３１Ｗ及びキーワード４１Ｗはそれぞれ、項目のタイトル、項目の機能、保管人の機能の対象、及び項目のカテゴリのリーフレベルの主題の少なくとも１つで定義し、１組の特定のキーコード３１Ｋ，４１Ｋ、例えば、（；；）のような１組のセミコロンのキーコードにより接尾辞を付けられる。
５．テキストワード３１Ｗ及びキーワード４１Ｗはそれぞれ、項目のタイトル、項目の機能、保管人の機能の対象、及び項目のカテゴリのリーフレベルの少なくとも１つへの補足で定義し、２つの特定のキーコード３１Ｋ，４１Ｋ、例えば、（；−）又は（−；）のようなセミコロンのキーコード及びハイフンのキーコードにより接尾辞を付けられる。
６．テキストワード３１Ｗ及びキーワード４１Ｗはそれぞれ、参照文献、証明書、経験、及び優越の主題の少なくとも１つで定義し、項目のタイトル、項目の機能、保管人の機能の対象、及び項目のカテゴリのリーフレベルの主題に補足し、２つの特定のキーコード３１Ｋ，４１Ｋ、例えば、（；＊）又は（＊；）のようなセミコロンのキーコード及びアステリスクのキーコードにより接尾辞を付けられる。
７．テキストワード３１Ｗ及びキーワード４１Ｗはそれぞれ、項目の機能の対象の主題で定義し、１組の特定のキーコード３１Ｋ，４１Ｋ、例えば、（，，）のような１組のコンマのキーコードにより接尾辞を付けられる。
８．テキストワード３１Ｗ及びキーワード４１Ｗはそれぞれ、項目の機能の対象の主題への補足で定義し、２つの特定のキーコード３１Ｋ，４１Ｋ、例えば、（，−）又は（−，）のようなコンマのキーコードとハイフンのキーコードにより接尾辞を付けられる。
９．テキストワード３１Ｗ及びキーワード４１Ｗはそれぞれ、特定の項目及び関連の保管人が支持可能な地理的領域を説明する項目の場所の主題で定義し、１組の特定のキーコード３１Ｋ，４１Ｋ、例えば、（＼＼）のような１組の後方スラッシュのキーコードにより接尾辞を付けられる。
１０．テキストワード３１Ｗ及びキーワード４１Ｗはそれぞれ、項目のカテゴリのリーフレベル以外の項目のカテゴリのスーパーレベルの主題で定義し、１組の特定のキーコード３１Ｋ，４１Ｋ、例えば、（／／）のような１組の前方スラッシュのキーコードにより接尾辞を付けられる。
【００２７】
キーコード３１Ｋ，４１Ｋのための上記定義１〜１０は本発明を暫定的に示している。また、キーコードは項目の他の特定の主題、例えば、項目の価格のための（＄＄）のような１組のドル記号のキーコード、項目のサイズのための（＃＃）のような１組のポンド記号のキーコード、及び項目のデータのための（＾＾）のような１組の曲折アクセントのキーコードのために割り当られる。
【００２８】
キーコード化されたテキストワード３１及びキーワード化されたキーワード４１の実際の使用の場合は以下のＡ〜Ｄとして列挙されている。
Ａ．ハンドバッグの卸売業者が潜在的なハンドバッグの小売店により接触されたい場合、卸売業者は供給者２２Ｓ及び保管人２２であり、小売店は受取人及び調査者２４であり、ハンドバッグは項目である。
【００２９】
図２、図２Ａ及び図３に特に詳細に示されているように、ワード３１Ｗ，４１Ｗ、保管人の機能で定義する「卸売業者」は、上記した定義１に示されているように、（：：）のような１組のコロンのキーコード３１Ｋ，４１Ｋにより接尾辞を付けられている。ワード３１Ｗ，４１Ｗ、「ハンドバッグ」及び「札入れ」のそれぞれは、項目のタイトル、項目のカテゴリ、及び保管人の機能の対象で定義し、上記した定義４に示されているように、（；；）のような１組のセミコロンのキーワード３１Ｋ，４１Ｋにより接尾辞を付けられている。ワード３１Ｗ，４１Ｗ、「流行」、「女性」及び「装身具」はそれぞれ、項目のカテゴリのスーパーレベルで定義し、上記した定義１０に示されているように、（／／）のような１組の前方スラッシュのキーコード３１Ｋ，４１Ｋにより接尾辞を付けられている。ワード３１Ｗ，４１Ｗ、項目への補足で定義する「ブランド」は、上記した指示５に示されているように、（；−）又は（−；）のようなハイフンのキーコード３１Ｋ，４１Ｋ及びセミコロンのキーコードにより接尾辞を付けられている。
【００３０】
図２Ａは、以下のように、上記したケースＡにおいて保管人２２によりテキストフィールド３２に入力されたキーコード化されたテキストワード３１の実際の使用の例を示している。
wholesale::fashion//accessory//women//handbag;;wallet;;brand-;
図３は、以下のように、上記したケースＡにおいて調査者２４によりテキストフィールド４２に入力されたキーコード化されたキーワード４１の実際の使用の例を示している。
wholesale::handbag;;brand-;
Ｂ．特定の融資プログラムを有する銀行が潜在的な借り手により接触されたい場合、銀行は供給者２２Ｓ及び保管人２２であり、借り手は受取人２４Ｒ及び調査者２４であり、特定の融資プログラムを有する金銭は項目である。
【００３１】
上記したケースＢにおけるキーコード化されたキーワード３１及びキーコード化されたキーワード４１の実際の使用の例は以下の通りである。
direct-:lender::quick-;low-;fixed-;home-;equity-;loan;;
Ｃ．屋根ふき会社が潜在的な顧客により接触されたい場合、会社は供給者２２Ｓ及び保管人２２であり、顧客は受取人２４Ｒ及び調査者２４であり、屋根ふきの仕事は項目である。
【００３２】
上記したケースＣにおけるキーコード化されたキーワード３１及びキーコード化されたキーワード４１の実際の使用の例は以下の通りである。
licensed*:roofer::Houston＼＼roofing;;repair;;fix;;install;;leak-,old-,roof,,
Ｄ．特定の仕事のための働き口を有する雇用主が潜在的な労働者により接触されたい場合、雇用主は受取人２２Ｒ及び保管人２２であり、労働者は供給者２４Ｓ及び調査者２４であり、特定の仕事のための働き口は項目である。
【００３３】
上記したケースＤにおけるキーコード化されたキーワード３１及びキーコード化されたキーワード４１の実際の使用の例は以下の通りである。
employer::3-yrs*;asp-;oracle;programmer;;administrate;;website,,
上記した定義１〜１０及びケースＡ〜Ｄに示されているように、本発明の利点は、キーコード化されたワードのキーコード３１Ｋ，４１Ｋが他のキーコード化されたワードと自明の関係であるので、キーコード化されたワード３１，４１の順序がキーコード化されたワードの文脈を理解するのに鈍感であることである。
【００３４】
別の利点は、各キーコード化されたワード３１，４１が以下のキーワード化されたワードの範囲を定めるために機能する接尾辞が付けられたキーコード３１Ｋ，４１Ｋにより結ばれているので、スペースの区切り文字はキーコード化されたワード３１，４１の範囲を定めるために要求されないことである。
【００３５】
別の利点は、お互いに保管人２２及び調査者２４と同じ方法で、予め分析された主題に関して可能なテキストワード３１Ｗ及びキーワード４１Ｗへのガイドとしてキーコード３１Ｋ，４１Ｋが利用可能であることである。
【００３６】
別の利点は、項目のタイトル、保管人のタイトル、階層分類上のカテゴリ、及び地理的領域のリストのようなディレクトリーのリストが保管人２２及び調査者２４を援助することを必要とされ、キーコード化されたワード３１，４１がそれらのリストの自明な主題であるので、削除可能であることである。
【００３７】
別の利点は、キーコード化されたワード３１のデータのサイズが比較的小さく、データの格納処理がより簡単に管理可能であり、データの検索処理がより早く可能であり、検索結果がモニター画面の小スペースで表示可能となっていることである。
【００３８】
別の利点は、保管人２２及び調査者２４がお互いの同意を得るため同じキーコード３１Ｋ，４１Ｋを使用しているので、検索結果が論理的で明確に意図した方法でより正確になることである。この効果は、調査者２４が２以上のキーコード化されたキーワード４１を使用し、所謂「完全なテキストの問合せ」と呼ばれる検索のための状態を設定する時に、増大される。
【００３９】
上記利点の効果は、携帯電話、ワイヤレスＰＤＡ（携帯情報端末）、及びワイヤレスポケットＰＣ（パーソナルコンピュータ）のような小サイズのモニターを有する携帯用のコンピュータを使用する保管人２２及び調査者２４のために増大する。
【００４０】
図４及び図５に示されているように、供給者のエンティティ５０Ｓ及び受取人のエンティティ５０Ｒはそれぞれ、調査され、検索されるだけの目的で、比較的小データサイズで構成される図２Ａの１以上のキーコード化されたテキストワード３１を含むコード化されたテキスト属性（図４の５８Ｓ，図５の５８Ｒ）を有する。そのため、検索処理はより早くでき、検索結果は明確に意図した方法でより正確に得られる。
【００４１】
図６は図４から変更されたデータベース構造を示しており、それは他の項目と相互に関係付けられない項目のための項目エンティティ６０Ｓをさらに含んでいる。図４の項目の記述５６Ｓ及び図４のコード化されたテキスト５８Ｓの属性は関連の項目のエンティティ６０Ｓに再配置される。項目のエンティティ６０Ｓはまた、特定の項目を独特に識別する項目ＩＤ５１Ｓと、関連の供給者のエンティティ５０Ｓの同じ供給者ＩＤ５１Ｓにクロスレファレンスして利用される供給者ＩＤ５１Ｓとを有している。そのため、供給者のエンティティ５０Ｓがお互いに関係付けられていない２以上の項目を有する時に、各項目の情報は他の項目のエンティティから別個に項目のエンティティ６０Ｓとして格納可能である。
【００４２】
図７は図６から変更されたデータベースを示しており、それはコード化されたテキストエンティティ７０Ｓをさらに含んでいる。図６のコード化されたテキスト属性５８Ｓはコード化されたテキストエンティティ７０Ｓに再配置される。コード化されたテキストエンティティ７０Ｓはまた関連の項目のエンティティ６０Ｓの同じ項目ＩＤ６１Ｓにクロスレファレンスして利用される項目ＩＤ６１Ｓを有している。コード化されたテキストエンティティ７０Ｓのコード化されたテキストの属性は他のエンティティ５０Ｓ，６０Ｓから分離されているため、検索処理はより早くでき、格納処理はより簡単に管理することができる。
【００４３】
本実施の形態１０のデータ格納装置１８は、電子テキスト列、テキストファイル、スプレッドシートファイル、データベースファイル、イメージファイル、ムービーファイル、ウェブサイトファイル、及び電子テキスト調査を介して調査可能な図２の１以上のテキストワード３１Ｗを含む他のものの１以上の形式のデータのための容器として考えられている。しかしながら、データ格納装置１８は、物理的な文書、ロゴ、記号、広告材料、及び１以上のテキストワード３１Ｗを有する他のものの１以上の形式であり、調査者２４は、調査者の物理的な目及び関心のある保管人２２を検索するために使用可能な認識を介してデータ格納装置を調査可能である。
【００４４】
近年、インターネットが広く普及されているため、本実施の形態１０はインターネットシステムの例を示している。しかしながら、インターネットに接続されないサーバー１２は、電話、ファックス、郵便及び電子メールのようなクライアント２０との直接接続を使用して、本発明の同じ管理を実行可能である。本実施の形態の別の変形は、サーバーの完全制御を有する１人だけの特定の保管人２２のデータを格納するサーバー１２である。本実施の形態の別の変形例は、検索要求を他の調査者から受け取り、他のサーバーを調査して必要とされるデータを収集するサーバー１２、所謂「サーチサービス」及び「サーチエンジン」と呼ばれるものとしての十分な機能を有する調査者２４を含むシステムである。
【００４５】
法律に従って、本発明は構造及び方法の特徴に関して幾分特有の言語で説明されている。しかしながら、ここに開示された手段は本発明を実施する好適な形式を備えているため、本発明は示されると共に説明された特定の特徴に限定されるものではないことを理解されるべきである。そのため、本発明は均等論に従って適切に解釈される添付した適切な特許請求の範囲内の形式又は変更を当然の権利として要求する。
【図面の簡単な説明】
【００４６】
【図１】本発明のための全体の例示的なシステムを示す図である。
【図２】提示ボタンとそこでキーコード化されたテキストワードを示すテキストフィールドとの保管人の光学インターフェースの一部分を示す図である。
【図２Ａ】図２のキーコード化されたテキストワードを詳細に示す図である。
【図３】調査ボタンとそこでキーコード化されたキーワードを示すテキストフィールドとの保管人の光学インターフェースの一部分を示す図である。
【図４】データ格納装置内の供給者のエンティティのための構造を示す図である。
【図５】データ格納装置内の受取人のエンティティのための構造を示す図である。
【図６】さらに項目のエンティティを含む図４から変更される構造を示す図である。
【図７】さらにコード化されたテキストのエンティティを含む図６から変更される構造を示す図である。
【図１】
2009516880.tif 000003
【図２】
2009516880.tif 000004
【図２Ａ】
2009516880.tif 000005
【図３】
2009516880.tif 000006
【図４】
2009516880.tif 000007
【図５】
2009516880.tif 000008
【図６】
2009516880.tif 000009
【図７】
2009516880.tif 000010
【国際調査報告】
2009516880.tif 000011